【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
画像を画面に表示する画像表示部を備えており、該画像表示部を消灯する消灯モードを含む複数の動作モードを起動可能なユーザインタフェース装置であって、
前記画像表示部の画面上に接触した指によって与えられる押圧力を検出する押圧力検出部と、
前記押圧力の大きさが所定閾値以上であるか否かを判定する押圧力判定手段と、
前記消灯モードの発動時に、前記押圧力判定手段が真の判定を行った際、該消灯モードに代えて他の動作モードを起動させる動作モード制御手段と
を有することを特徴とするユーザインタフェース装置。
【請求項２】
前記押圧力判定手段は、各動作モードがそれぞれに割り当てられた複数の押圧力値範囲のいずれに、前記押圧力の大きさが属するかを判定し、
前記消灯モードの発動時に、前記押圧力判定手段によって前記押圧力の大きさが１つの押圧力値範囲に属するとの判定がなされた際、前記動作モード制御手段は、該１つの押圧力値範囲に割り当てられた動作モードを前記他の動作モードとして起動させる
ことを特徴とする請求項１に記載のユーザインタフェース装置。
【請求項３】
前記押圧力判定手段によって、前記押圧力の大きさが前記複数の押圧力値範囲のうち第１の押圧力値範囲に属するとの判定がなされた際、前記動作モード制御手段は、前記他の動作モードとして非プライベートモードを起動させ、
前記押圧力判定手段によって、前記押圧力の大きさが前記複数の押圧力値範囲のうち第２の押圧力値範囲に属するとの判定がなされた際、前記動作モード制御手段は、前記他の動作モードとしてプライベートモードを起動させる
ことを特徴とする請求項２に記載のユーザインタフェース装置。
【請求項４】
前記画像表示部の画面上に接触した当該指に対して触覚応答を与える触覚応答機構部と、
前記消灯モードに代わって前記他の動作モードが起動する際、当該指に対して触覚応答を与えるべく前記触覚応答機構部を制御する触覚応答制御手段と
を更に有することを特徴とする請求項１から３のいずれか１項に記載のユーザインタフェース装置。
【請求項５】
当該指の接触位置を時間経過に応じて逐次出力するタッチパネルと、
当該指の接触位置が、前記タッチパネルにおける複数の表面位置範囲のいずれに属するかを判定する接触判定手段と
を更に有しており、
前記消灯モードの発動時に、前記押圧力判定手段によって前記押圧力の大きさが１つの押圧力値範囲に属するとの判定がなされ、且つ前記接触判定手段によって当該指の接触位置が１つの表面位置範囲に属するとの判定がなされた際、前記動作モード制御手段は、該１つの押圧力値範囲と少なくとも該１つの表面位置範囲との組合せに対して割り当てられた動作モードを、前記他の動作モードとして起動させる
ことを特徴とする請求項２から４のいずれか１項に記載のユーザインタフェース装置。
【請求項６】
前記押圧力判定手段によって、前記押圧力の大きさが前記複数の押圧力値範囲のうち第１の押圧力値範囲に属するとの判定がなされた際、前記動作モード制御手段は、前記他の動作モードとして非プライベートモードを起動させ、
前記押圧力判定手段によって前記押圧力の大きさが前記複数の押圧力値範囲のうち第２の押圧力値範囲に属するとの判定がなされ、且つ前記接触判定手段によって当該指の接触位置が所定の表面位置範囲に属するとの判定がなされた際、前記動作モード制御手段は、前記他の動作モードとしてプライベートモードを起動させる
ことを特徴とする請求項５に記載のユーザインタフェース装置。
【請求項７】
当該指の接触位置を時間経過に応じて逐次出力するタッチパネルと、
当該指が前記タッチパネルに接触したか否かを判定する接触判定手段と
を更に有しており、
前記動作モード制御手段は、前記消灯モードの発動時に、前記押圧力判定手段が真の判定を行い、且つ前記接触判定手段が真の判定を行った際、該消灯モードに代えて他の動作モードを起動させることを特徴とする請求項１から４のいずれか１項に記載のユーザインタフェース装置。
【請求項８】
画像を画面に表示する画像表示部を備えており、該画像表示部を消灯する消灯モードを含む複数の動作モードを起動可能なユーザインタフェース装置に搭載されたプログラムであって、該ユーザインタフェース装置が、
前記画像表示部の画面上に接触した指によって与えられる押圧力を検出する押圧力検出部を更に備えており、前記プログラムが、
前記押圧力の大きさが所定閾値以上であるか否かを判定する押圧力判定手段と、
前記消灯モードの発動時に、前記押圧力判定手段が真の判定を行った際、該消灯モードに代えて他の動作モードを起動させる動作モード制御手段と
してコンピュータを機能させることを特徴とするユーザインタフェース装置用のプログラム。
【請求項９】
画像を画面に表示する画像表示部を備えており、該画像表示部を消灯する消灯モードを含む複数の動作モードを起動可能なユーザインタフェース装置における、動作モード起動方法であって、該ユーザインタフェース装置が、
前記画像表示部の画面上に接触した指によって与えられる押圧力を検出する押圧力検出部を更に備えており、前記動作モード起動方法が、
前記押圧力の大きさが所定閾値以上であるか否かを判定する第１のステップと、
前記消灯モードの発動時に、第１のステップで真の判定がなされた際、該消灯モードに代えて他の動作モードを起動させる第２のステップと
を有することを特徴とする動作モード起動方法。
【手続補正２】
【補正対象書類名】明細書
【補正対象項目名】００１６
【補正方法】変更
【補正の内容】
【００１６】
本発明によれば、画像を画面に表示する画像表示部を備えており、この画像表示部を消灯する消灯モードを含む複数の動作モードを起動可能なユーザインタフェース装置であって、
画像表示部の画面上に接触した指によって与えられる押圧力を検出する押圧力検出部と、
押圧力の大きさが所定閾値以上であるか否かを判定する押圧力判定手段と、
消灯モードの発動時に、押圧力判定手段が真の判定を行った際、消灯モードに代えて他の動作モードを起動させる動作モード制御手段と
を有するユーザインタフェース装置が提供される。
【手続補正３】
【補正対象書類名】明細書
【補正対象項目名】００１９
【補正方法】変更
【補正の内容】
【００１９】
さらに、本発明によるユーザインタフェース装置において、画像表示部の画面上に接触した指に対して触覚応答を与える触覚応答機構部と、
消灯モードに代わって他の動作モードが起動する際、指に対して触覚応答を与えるべく触覚応答機構部を制御する触覚応答制御手段と
を更に有することも好ましい。
【手続補正４】
【補正対象書類名】明細書
【補正対象項目名】００２０
【補正方法】変更
【補正の内容】
【００２０】
さらにまた、本発明によるユーザインタフェース装置の一実施形態として、
指の接触位置を時間経過に応じて逐次出力するタッチパネルと、
指の接触位置が、タッチパネルにおける複数の表面位置範囲のいずれに属するかを判定する接触判定手段と
を更に有しており、
消灯モードの発動時に、押圧力判定手段によって押圧力の大きさが１つの押圧力値範囲に属するとの判定がなされ、且つ接触判定手段によって指の接触位置が１つの表面位置範囲に属するとの判定がなされた際、動作モード制御手段は、該１つの押圧力値範囲と少なくとも該１つの表面位置範囲との組合せに対して割り当てられた動作モードを、他の動作モードとして起動させることも好ましい。
【手続補正５】
【補正対象書類名】明細書
【補正対象項目名】００２２
【補正方法】変更
【補正の内容】
【００２２】
さらに、本発明によるユーザインタフェース装置の一実施形態として、
指の接触位置を時間経過に応じて逐次出力するタッチパネルと、
指がタッチパネルに接触したか否かを判定する接触判定手段と
を更に有しており、
動作モード制御手段は、消灯モードの発動時に、押圧力判定手段が真の判定を行い、且つ接触判定手段が真の判定を行った際、消灯モードに代えて他の動作モードを起動させることも好ましい。
【手続補正６】
【補正対象書類名】明細書
【補正対象項目名】００２３
【補正方法】変更
【補正の内容】
【００２３】
本発明によれば、また、画像を画面に表示する画像表示部を備えており、この画像表示部を消灯する消灯モードを含む複数の動作モードを起動可能なユーザインタフェース装置に搭載されたプログラムであって、このユーザインタフェース装置が、
画像表示部の画面上に接触した指によって与えられる押圧力を検出する押圧力検出部を更に備えており、このプログラムが、
押圧力の大きさが所定閾値以上であるか否かを判定する押圧力判定手段と、
消灯モードの発動時に、押圧力判定手段が真の判定を行った際、消灯モードに代えて他の動作モードを起動させる動作モード制御手段と
してコンピュータを機能させるユーザインタフェース装置用のプログラムが提供される。
【手続補正７】
【補正対象書類名】明細書
【補正対象項目名】００２４
【補正方法】変更
【補正の内容】
【００２４】
本発明によれば、さらに、画像を画面に表示する画像表示部を備えており、この画像表示部を消灯する消灯モードを含む複数の動作モードを起動可能なユーザインタフェース装置における、動作モード起動方法であって、このユーザインタフェース装置が、
画像表示部の画面上に接触した指によって与えられる押圧力を検出する押圧力検出部を更に備えており、この動作モード起動方法が、
押圧力の大きさが所定閾値以上であるか否かを判定する第１のステップと、
消灯モードの発動時に、第１のステップで真の判定がなされた際、消灯モードに代えて他の動作モードを起動させる第２のステップと
を有する動作モード起動方法が提供される。